(57)【要約】      （修正有）【課題】表示装置に出力された画像と画像形成装置により記録媒体に出力された画像との色味を、より簡易な方法で合わせることができる色処理装置を提供する。【解決手段】色処理装置（コンピュータ装置１０）は、画像データを基に表示装置に表示された第１の画像の色データである第１の色データを取得するとともに、画像データを基に画像形成装置により記録媒体に形成された第２の画像の色データとして第２の色データを取得する色データ取得部１３０と、表示装置に表示される画像と画像形成装置により記録媒体に形成される画像との色味を合わせるために、第１の色データおよび第２の色データを基に、画像形成装置に出力する画像データの補正を行なう変換関係を作成する変換関係作成部１４０と、を備える。変換関係作成部１４０は、グレーに近づくに従い補正量が大きくなるとともに白色に近づくに従い補正量が小さくなる補正を行なう変換関係を作成する。【選択図】図４
2018074304.tif 000002
【特許請求の範囲】
【請求項１】
画像データを基に表示装置に表示された第１の画像の色データである第１の色データを取得するとともに、当該画像データを基に画像形成装置により記録媒体に形成された第２の画像の色データとして第２の色データを取得する色データ取得部と、
前記表示装置に表示される画像と前記画像形成装置により記録媒体に形成される画像との色味を合わせるために、前記第１の色データおよび前記第２の色データを基に、当該画像形成装置に出力する前記画像データの補正を行なう変換関係を作成する変換関係作成部と、
を備え、
前記変換関係作成部は、グレーに近づくに従い補正量が大きくなるとともに白色に近づくに従い補正量が小さくなる補正を行なう前記変換関係を作成する色処理装置。
【請求項２】
前記変換関係作成部は、黒色に近づくに従い補正量が小さくなる補正を行なう前記変換関係を作成することを特徴とする請求項１に記載の色処理装置。
【請求項３】
前記第１の画像および前記第２の画像は、白色の画像であり、
前記変換関係作成部は、前記白色の画像についての前記第１の色データと前記第２の色データとの差分方向を色空間中での補正の方向とすることを特徴とする請求項１または２に記載の色処理装置。
【請求項４】
前記変換関係作成部は、前記第１の色データと前記第２の色データとの差分量を前記補正量の最大値とすることを特徴とする請求項３に記載の色処理装置。
【請求項５】
前記変換関係作成部は、前記画像形成装置の色域の外殻の彩度がより大きくなるほど、当該彩度を有する箇所の輝度を有するグレーについての前記補正量をより大きくすることを特徴とする請求項１乃至４の何れか１項に記載の色処理装置。
【請求項６】
画像データを基に表示装置に表示された第１の画像の色データである第１の色データを取得するとともに、当該画像データを基に画像形成装置により記録媒体に形成された第２の画像の色データとして第２の色データを取得する色データ取得工程と、
前記表示装置に表示される画像と前記画像形成装置により記録媒体に形成される画像との色味を合わせるために、前記第１の色データおよび前記第２の色データを基に、当該画像形成装置に出力する前記画像データの補正を行なう変換関係を作成する変換関係作成工程と、
を含み、
前記変換関係作成工程は、グレーに近づくに従い補正量が大きくなるとともに白色に近づくに従い補正量が小さくなる補正を行なう前記変換関係を作成する色処理方法。
【請求項７】
画像データを基に画像を表示する表示装置と、
前記画像データを基に記録媒体に画像を形成する画像形成装置と、
前記表示装置に表示される画像と前記画像形成装置により形成される画像との色味を合わせるために、当該画像形成装置に出力する前記画像データの補正を行なう色処理装置と、
を備え、
前記色処理装置は、
前記画像データを基に前記表示装置に表示された第１の画像の色データである第１の色データを取得するとともに、当該画像データを基に前記画像形成装置により記録媒体に形成された第２の画像の色データとして第２の色データを取得する色データ取得部と、
前記表示装置に表示される画像と前記画像形成装置により記録媒体に形成される画像との色味を合わせるために、前記第１の色データおよび前記第２の色データを基に、当該画像形成装置に出力する前記画像データの補正を行なう変換関係を作成する変換関係作成部と、
を備え、
前記変換関係作成部は、グレーに近づくに従い補正量が大きくなるとともに白色に近づくに従い補正量が小さくなる補正を行なう前記変換関係を作成する色処理システム。
【請求項８】
コンピュータに、
画像データを基に表示装置に表示された第１の画像の色データである第１の色データを取得するとともに、当該画像データを基に画像形成装置により記録媒体に形成された第２の画像の色データとして第２の色データを取得する色データ取得機能と、
前記表示装置に表示される画像と前記画像形成装置により記録媒体に形成される画像との色味を合わせるために、前記第１の色データおよび前記第２の色データを基に、当該画像形成装置に出力する前記画像データの補正を行なう変換関係を作成する変換関係作成機能と、
を実現させ、
前記変換関係作成機能は、グレーに近づくに従い補正量が大きくなるとともに白色に近づくに従い補正量が小さくなる補正を行なう前記変換関係を作成するプログラム。
【発明の詳細な説明】
【技術分野】
【０００１】
本発明は、色処理装置、色処理方法、色処理システム、プログラムに関する。
【背景技術】
【０００２】
近年は、ＰＣ（Personal Computer）等のコンピュータ装置を使用し、ＣＧ（Computer Graphics）等により製品のデザインを行う場合が多くなってきている。この場合、デザイナーは、ＰＣ等に接続された液晶ディスプレイ等の表示装置に製品の画像を出力してデザインを行うことになる。
一方、例えば、この画像を紙等の記録媒体に出力し、表示装置に出力された画像と記録媒体に出力された画像との双方を見ながら製品のデザインの検討を行なう場合がある。
【０００３】
特許文献１には、第一・第二の光源のもとで同じ複数のパッチ（基準画像）を測色してＬａｂ空間の各Ｌａｂ値（所定の色空間の各成分値）から構成される第一・第二の測色結果を取得し、同じパッチについての第一・第二の測色結果を比較して比較結果からＬａｂ空間の色相のうち第一・第二の測色結果の差異が小さい色相を特定したとき、ＲＧＢデータ（第一カラー画像データ）のうち無彩色成分に相当するデータについては出力画像の色相が同特定された差異が小さい色相となるようにＣＭＹＫデータ（第二カラー画像データ）に変換するようにしたことが記載されている。
また特許文献２には、色再現調整機能にて選択することができるすべての調整値の中から、代表とする複数の調整値で調整された画像から構成されたチェックチャートを出力し、各画像に対してユーザが評価を行いその結果をもとに最適調整値を算出することが記載されている。
【先行技術文献】
【特許文献】
【０００４】
【特許文献１】特開２００５−５７５７０号公報
【特許文献２】特開２０１１−５９９００号公報
【発明の概要】
【発明が解決しようとする課題】
【０００５】
しかしながらこの場合、記録媒体に出力された画像の色味は、照明環境等の影響を受けるため、表示装置に出力された画像と色味が合わない場合がある。この場合、デザイナーは、製品の色について正確に把握することができず、デザインの検討を行うのに支障が生じることになる。
本発明は、表示装置に出力された画像と画像形成装置により記録媒体に出力された画像との色味を、より簡易な方法で合わせることができる色処理装置等を提供することを目的とする。
【課題を解決するための手段】
【０００６】
請求項１に記載の発明は、画像データを基に表示装置に表示された第１の画像の色データである第１の色データを取得するとともに、当該画像データを基に画像形成装置により記録媒体に形成された第２の画像の色データとして第２の色データを取得する色データ取得部と、前記表示装置に表示される画像と前記画像形成装置により記録媒体に形成される画像との色味を合わせるために、前記第１の色データおよび前記第２の色データを基に、当該画像形成装置に出力する前記画像データの補正を行なう変換関係を作成する変換関係作成部と、を備え、前記変換関係作成部は、グレーに近づくに従い補正量が大きくなるとともに白色に近づくに従い補正量が小さくなる補正を行なう前記変換関係を作成する色処理装置である。
請求項２に記載の発明は、前記変換関係作成部は、黒色に近づくに従い補正量が小さくなる補正を行なう前記変換関係を作成することを特徴とする請求項１に記載の色処理装置である。
請求項３に記載の発明は、前記第１の画像および前記第２の画像は、白色の画像であり、前記変換関係作成部は、前記白色の画像についての前記第１の色データと前記第２の色データとの差分方向を色空間中での補正の方向とすることを特徴とする請求項１または２に記載の色処理装置である。
請求項４に記載の発明は、前記変換関係作成部は、前記第１の色データと前記第２の色データとの差分量を前記補正量の最大値とすることを特徴とする請求項３に記載の色処理装置である。
請求項５に記載の発明は、前記変換関係作成部は、前記画像形成装置の色域の外殻の彩度がより大きくなるほど、当該彩度を有する箇所の輝度を有するグレーについての前記補正量をより大きくすることを特徴とする請求項１乃至４の何れか１項に記載の色処理装置である。
請求項６に記載の発明は、画像データを基に表示装置に表示された第１の画像の色データである第１の色データを取得するとともに、当該画像データを基に画像形成装置により記録媒体に形成された第２の画像の色データとして第２の色データを取得する色データ取得工程と、前記表示装置に表示される画像と前記画像形成装置により記録媒体に形成される画像との色味を合わせるために、前記第１の色データおよび前記第２の色データを基に、当該画像形成装置に出力する前記画像データの補正を行なう変換関係を作成する変換関係作成工程と、を含み、前記変換関係作成工程は、グレーに近づくに従い補正量が大きくなるとともに白色に近づくに従い補正量が小さくなる補正を行なう前記変換関係を作成する色処理方法である。
請求項７に記載の発明は、画像データを基に画像を表示する表示装置と、前記画像データを基に記録媒体に画像を形成する画像形成装置と、前記表示装置に表示される画像と前記画像形成装置により形成される画像との色味を合わせるために、当該画像形成装置に出力する前記画像データの補正を行なう色処理装置と、を備え、前記色処理装置は、前記画像データを基に前記表示装置に表示された第１の画像の色データである第１の色データを取得するとともに、当該画像データを基に前記画像形成装置により記録媒体に形成された第２の画像の色データとして第２の色データを取得する色データ取得部と、前記表示装置に表示される画像と前記画像形成装置により記録媒体に形成される画像との色味を合わせるために、前記第１の色データおよび前記第２の色データを基に、当該画像形成装置に出力する前記画像データの補正を行なう変換関係を作成する変換関係作成部と、を備え、前記変換関係作成部は、グレーに近づくに従い補正量が大きくなるとともに白色に近づくに従い補正量が小さくなる補正を行なう前記変換関係を作成する色処理システムである。
請求項８に記載の発明は、コンピュータに、画像データを基に表示装置に表示された第１の画像の色データである第１の色データを取得するとともに、当該画像データを基に画像形成装置により記録媒体に形成された第２の画像の色データとして第２の色データを取得する色データ取得機能と、前記表示装置に表示される画像と前記画像形成装置により記録媒体に形成される画像との色味を合わせるために、前記第１の色データおよび前記第２の色データを基に、当該画像形成装置に出力する前記画像データの補正を行なう変換関係を作成する変換関係作成機能と、を実現させ、前記変換関係作成機能は、グレーに近づくに従い補正量が大きくなるとともに白色に近づくに従い補正量が小さくなる補正を行なう前記変換関係を作成するプログラムである。
【発明の効果】
【０００７】
請求項１の発明によれば、表示装置に出力された画像と画像形成装置により記録媒体に出力された画像との色味を、より簡易な方法で合わせることができる色処理装置を提供することができる。
請求項２の発明によれば、画像形成装置により記録媒体に出力された画像がより自然になる。
請求項３の発明によれば、第１の色データと第２の色データとの差分方向をより簡単に決定することができる。
請求項４の発明によれば、補正量をより簡単に決定することができる。
請求項５の発明によれば、画像形成装置の色域の形状に合わせて補正量を決めることができる。
請求項６の発明によれば、表示装置に出力された画像と画像形成装置により記録媒体に出力された画像との色味を、より簡易な方法で合わせることができる色処理方法を提供することができる。
請求項７の発明によれば、表示装置に出力された画像と画像形成装置により記録媒体に出力された画像との色味を、より簡易な方法で合わせることができる色処理システムを提供することができる。
請求項８の発明によれば、表示装置に出力された画像と画像形成装置により記録媒体に出力された画像との色味を、より簡易な方法で合わせることができる機能をコンピュータにより実現できる。
【図面の簡単な説明】
【０００８】
【図１】本実施の形態が適用される色処理システムの構成の一例を示した図である。
【図２】コンピュータ装置のハードウェア構成を示した図である。
【図３】画像形成装置のハードウェア構成例を示した図である。
【図４】本実施の形態のコンピュータ装置の機能構成例を示したブロック図である。
【図５】（ａ）〜（ｂ）は、画像形成装置の色域内の色と補正量との関係を示した図である。
【図６】補正の最大値が適用される箇所を、（Ｌ＊、ａ＊、ｂ＊）＝（５０、０、０）以外のグレー軸上とした例を示した図である。
【図７】本実施の形態のコンピュータ装置の動作について説明したフローチャートである。
【発明を実施するための形態】
【０００９】
以下、添付図面を参照して、本発明の実施の形態について詳細に説明する。
【００１０】
＜色処理システム全体の説明＞
図１は、本実施の形態が適用される色処理システム１の構成の一例を示した図である。
この色処理システム１は、画像データ（画像情報）の作成等を行うコンピュータ装置１０と、この画像データを基に画像を表示する表示装置２０と、この画像データを基に記録媒体Ｐに画像を形成する画像形成装置３０とを備える。
【００１１】
この色処理システム１において、コンピュータ装置１０および表示装置２０は、例えば、ＤＶＩ（Digital Visual Interface）を介して接続されている。なお、ＤＶＩに代えて、ＨＤＭＩ（High-Definition Multimedia Interface：登録商標）やDisplayPortを介して接続するようにしてもかまわない。またコンピュータ装置１０と画像形成装置３０とは、例えば、ＬＡＮ（Local Area Network）により接続されている。
【００１２】
コンピュータ装置１０は、所謂汎用のパーソナルコンピュータ（ＰＣ）である。そして、コンピュータ装置１０は、ＯＳ（Operating System）の管理下において、各種アプリケーションソフトウェアを動作させることで、画像データの作成等を行うようになっている。
なおコンピュータ装置１０は、入力装置として、例えば、図示しないキーボード装置やマウス装置等を備えることができる。
【００１３】
図２は、コンピュータ装置１０のハードウェア構成を示した図である。
コンピュータ装置１０は、上述したようにパーソナルコンピュータ等により実現される。そして図示するように、コンピュータ装置１０は、演算手段であるＣＰＵ（Central Processing Unit）１１と、記憶手段であるメインメモリ１２およびＨＤＤ（Hard Disk Drive）１３とを備える。ここで、ＣＰＵ１１は、ＯＳ（Operating System）やアプリケーションソフトウェア等の各種プログラムを実行する。また、メインメモリ１２は、各種プログラムやその実行に用いるデータ等を記憶する記憶領域であり、ＨＤＤ１３は、各種プログラムに対する入力データや各種プログラムからの出力データ等を記憶する記憶領域である。さらに、コンピュータ装置１０は、表示装置２０や画像形成装置３０を含む外部との通信を行うための通信インタフェース（以下、「通信Ｉ／Ｆ」と表記する）１４を備えている。
【００１４】
表示装置２０は、画像データを基に画像を表示する。表示装置２０は、例えばＰＣ用の液晶ディスプレイ、液晶テレビあるいはプロジェクタなど、加法混色にて画像を表示する機能を備えたもので構成される。したがって、表示装置２０における表示方式は、液晶方式に限定されるものではない。ここで、本実施の形態では、表示装置２０が、赤（Ｒ）、緑（Ｇ）および青（Ｂ）の３色を用いて画像の表示を行っているものとする。なお、図１は、表示装置２０としてＰＣ用の液晶ディスプレイを用いた場合を例示していることから、表示装置２０内に表示画面２１が設けられているが、表示装置２０として例えばプロジェクタを用いる場合、表示画面２１は、表示装置２０の外部に設けられたスクリーン等となる。
【００１５】
画像形成装置３０は、画像データを基に紙等の記録媒体Ｐに画像を形成し、印刷媒体として出力する装置である。画像形成装置３０は、プリンタ機能を備えるが、これに加えて例えば、スキャナ機能、ファクシミリ機能等の他の画像処理機能を備えていてもよい。
【００１６】
図３は、画像形成装置３０のハードウェア構成例を示した図である。
図示するように、画像形成装置３０は、ＣＰＵ３１と、ＲＡＭ（Random Access Memory）３２と、ＲＯＭ（Read Only Memory）３３と、ＨＤＤ３４と、操作パネル３５と、画像読み取り部３６と、画像形成部３７と、通信Ｉ／Ｆ３８とを備える。そしてこれらがバスＢを介して必要なデータのやりとりを行なう。
【００１７】
ＣＰＵ３１は、ＲＯＭ３３等に記憶された各種プログラムをＲＡＭ３２にロードして実行することにより、後述する各機能を実現する。
【００１８】
ＲＡＭ３２は、ＣＰＵ３１の作業用メモリ等として用いられるメモリである。
ＲＯＭ３３は、ＣＰＵ３１が実行する各種プログラム等を記憶するメモリである。
ＨＤＤ３４は、画像読み取り部３６が読み取った画像データや画像形成部３７における画像形成にて用いる画像データ等を記憶する例えば磁気ディスク装置である。
操作パネル３５は、各種情報の表示やユーザからの操作入力の受付を行なう例えばタッチパネルである。
【００１９】
画像読み取り部３６は、原稿に記録された画像を読み取る。ここで、画像読み取り部３６は、例えばスキャナであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
【００２０】
画像形成部３７は、記録媒体Ｐに画像を形成する印刷機構の一例である。ここで、画像形成部３７は、例えばプリンタであり、感光体に付着させたトナーを用紙等の記録媒体Ｐに転写して像を形成する電子写真方式や、インクを記録媒体Ｐ上に吐出して像を形成するインクジェット方式のものを用いるとよい。
通信Ｉ／Ｆ３８は、ネットワークを介して他の装置との間で各種情報の送受信を行なう。
【００２１】
ここで、図１には、表示装置２０の表示画面２１に表示された画像や画像形成装置３０で記録媒体Ｐに形成された画像の読み取りに使用される測色器５０を、色処理システム１と併せて示している。
【００２２】
測色器５０は、赤（Ｒ）、緑（Ｇ）および青（Ｂ）の３色にて画像を読み取るセンサ（図示せず）を備えており、表示画面２１に表示された画像や記録媒体Ｐに形成された画像を、所謂フルカラーにて測定することが可能となっている。また、図１に示す例において、測色器５０およびコンピュータ装置１０は、例えば、ＵＳＢを介して接続され、測定後の色データをコンピュータ装置１０に送ることができるようになっている。
【００２３】
この色処理システム１は、例えば、以下のように動作する。
色処理システム１では、コンピュータ装置１０において、測色用画像についての画像データ（測色用画像データ）を作成する。そしてこれを表示装置２０に送り、測色用画像データに基づく測色用画像を表示装置２０の表示画面２１に表示させる。一方、測色用画像データを画像形成装置３０にも送り、測色用画像データに基づく測色用画像を画像形成装置３０により記録媒体Ｐに形成させる。
そして表示画面２１に表示した測色用画像および記録媒体Ｐに形成した測色用画像を測色器５０により読み取り、それぞれの色データを取得する。そしてコンピュータ装置１０は、これらの色データを基に画像形成装置３０に出力する画像データの補正を行なう変換関係を作成する。詳しくは後述するが、この変換関係は、表示装置２０の表示画面２１に表示される画像の色味と、画像形成装置３０で記録媒体Ｐに形成される画像の色味とを合わせるためのものである。よってコンピュータ装置１０は、表示装置２０に表示される画像と画像形成装置３０により形成される画像との色味を合わせるために、画像形成装置３０に出力する画像データの補正を行なう色処理装置として機能する。
【００２４】
記録媒体Ｐに形成された画像は、照明の色温度等の照明環境の影響を受ける。そのためデザイナー等のユーザが認識する色は、照明環境により変化する。その結果、同様の画像データを基にしていても、表示装置２０の表示画面２１に表示された画像と、記録媒体Ｐに形成された画像とは、色味が一致しないことがある。その結果、上述したようにこれら双方の画像を見ながら製品のデザインの検討等を行なうデザイナー等のユーザにとって、製品の色について正確に把握することができない問題が生じる。また他にも画像を記録媒体Ｐに形成した印刷物を印刷会社に持ち込み、これを基に印刷物の議論を行なうなどの場合も、持ち込み先の照明環境により認識できる色が変化するため、正確な結果が得られないことがある。さらに印刷物がポスターなど最終成果物である場合、これを見る場所の照明環境により同様に認識できる色が変化するため、想定とは異なる色味となってしまう場合もある。
【００２５】
よって記録媒体Ｐに画像を形成するには、それを見る場所の照明環境に合わせて色味の調整を行なう必要がある。そのためには、画像を形成する際に使用する画像データを照明環境に合わせて補正することが必要となる。
【００２６】
ただし従来の補正方法では、画像を見るユーザの色順応が完全に生じている状態であるか、または色順応が全く生じていない状態であることを前提とし、この前提を基に色味の調整を行なっている。しかしながら例えば、表示装置２０の表示画面２１に表示された画像と、記録媒体Ｐに形成された画像との双方を互いに見比べる場合は、表示画面２１の白と記録媒体Ｐの白が両方混在するために、どちらの白を基準として色を認識するかによって人の色の捉え方は変化する。そしてこの状態における色味の調整は、従来の補正方法では、困難である。
色順応が完全に生じている状態であることを前提とした補正方法では、低彩度の色、特にグレーの補正がほとんどなされず、これに起因してユーザはそれぞれの画像の色味が合っていないと感じる。
【００２７】
そこで本実施の形態では、以下に述べる補正方法により、画像データを補正する。以下、これを実現するコンピュータ装置１０について、説明を行なう。
【００２８】
＜コンピュータ装置１０の説明＞
図４は、本実施の形態のコンピュータ装置１０の機能構成例を示したブロック図である。
図示するコンピュータ装置１０は、測色用画像選択部１１０と、画像データ送信部１２０と、色データ取得部１３０と、変換関係作成部１４０と、色補正部１５０とを備える。
【００２９】
測色用画像選択部１１０は、上述した測色用画像を選択する。本実施の形態では、この測色用画像は、白色の画像である。
【００３０】
画像データ送信部１２０は、表示装置２０の色調整を行うために、測色用画像選択部１１０が選択した測色用画像の画像データである測色用画像データを表示装置２０および画像形成装置３０に向けて出力する。この測色用画像データは、ＲＧＢ色空間におけるＲ、Ｇ、Ｂの色信号であるＲＧＢデータとして出力される。本実施の形態では、測色用画像は、白色の画像であるため、ＲＧＢデータが、８ｂｉｔ（０〜２５５の２５６階調）で表されるときは、測色用画像データは、（Ｒ、Ｇ、Ｂ）＝（２５５、２５５、２５５）となる。
【００３１】
表示装置２０では、画像データ送信部１２０により送信された測色用画像データを基に表示画面２１に測色用画像が表示される。ここでは、測色用画像データを基に表示装置２０に表示された画像を第１の画像とする。表示画面２１に表示された第１の画像は、測色器５０により色が読み取られる。
【００３２】
一方、画像形成装置３０では、画像データ送信部１２０により送信された測色用画像データを基に記録媒体Ｐに画像が形成される。ここでは、測色用画像データを基に画像形成装置３０により記録媒体Ｐに形成された画像を第２の画像とする。記録媒体Ｐに形成された第２の画像は、測色器５０により色が読み取られる。
【００３３】
なお測色器５０により測定を行なう場所は、ユーザが実際に表示画面２１に表示された画像や記録媒体Ｐに形成された画像を見る場所である。即ち、ユーザが実際に画像を見る照明環境下で行なう。
【００３４】
そして測色器５０は、第１の画像および第２の画像を読み取ることで取得した色情報（色データ）をコンピュータ装置１０に対し送信する。このとき測色器５０が出力する色データは、例えば、ＸＹＺ色空間におけるＸ、Ｙ、Ｚの各色値である。なお以下、第１の画像を読み取ることで取得した色データを第１の色データと言い、第２の画像を読み取ることで取得した色データを第２の色データと言うことがある。また第１の色データは、第１の画像を読み取ることで取得した色データを他の色空間の色データに変換したものでもよく、同様に第２の色データは、第２の画像を読み取ることで取得した色データを他の色空間の色データに変換したものでもよい。
【００３５】
色データ取得部１３０は、測色器５０により送信された第１の色データおよび第２の色データを取得する。
【００３６】
変換関係作成部１４０は、表示装置２０に表示される画像と画像形成装置３０により記録媒体Ｐに形成される画像との色味を合わせるために、第１の色データおよび第２の色データを基に、画像形成装置３０に出力する画像データの補正を行なう変換関係を作成する。
【００３７】
変換関係を作成するために、変換関係作成部１４０は、まず第１の色データと第２の色データとの差分を算出する。
差分を算出する色空間は、特に限られるものではない。よってＸＹＺ色空間において差分を算出してもよいが、本実施の形態では、Ｌ＊ａ＊ｂ＊色空間を使用する。
よって第１の色データを（Ｌ＊１、ａ＊１、ｂ＊１）とし、第２の色データを（Ｌ＊２、ａ＊２、ｂ＊２）とすると、（Ｌ＊１、ａ＊１、ｂ１）と（Ｌ＊２、ａ＊２、ｂ＊２）との差分を算出する。
【００３８】
また本実施の形態では、第１の色データと第２の色データとの差分方向を色空間中での補正の方向とする。また第１の色データと第２の色データとの差分量を補正量の最大値とする。具体的には、この画像形成装置３０に出力する画像データを補正する補正の方向を、Ｌ＊ａ＊ｂ＊色空間中におけるこの差分の方向とし、さらに補正量の最大値をこの差分の差分量とする。
【００３９】
図５（ａ）〜（ｂ）は、画像形成装置３０の色域内の色と補正量との関係を示した図である。
図５（ａ）では、横軸は、ａ＊、ｂ＊を１つの次元でまとめたＣ＊を表し、縦軸は、Ｌ＊を表している。なおＣ＊＝√（（ａ＊）２＋（ｂ＊）２）である。
また図５（ｂ）では、横軸は、ａ＊を表し、縦軸は、ｂ＊を表している。また図５（ａ）〜（ｂ）では画像形成装置３０の色域を併せて図示している。さらに図５（ａ）では、グレー軸であるＬ＊軸上の補正量を複数の矢印にて図示しており、図５（ｂ）では、画像形成装置３０の色域内の補正量を同様に複数の矢印にて図示している。この場合、矢印の大きさが大きいほど補正量が大きく、矢印の大きさが小さいほど補正量が小さいことを示している。また矢印の方向は、補正の方向を示している。
【００４０】
このうち図５（ａ）では、補正の最大値が適用される箇所を、（Ｌ＊、ａ＊、ｂ＊）＝（５０、０、０）としている。即ち、グレー軸上とする。図示するように、Ｃ＊＝０、Ｌ＊＝５０において、補正量が最大値（Ｍａｘ）となり、この箇所から白色に近づくに従い補正量が小さくなる。また黒色に近づくに従い補正量が小さくなる。そして白色（Ｃ＊＝０、Ｌ＊＝１００）および黒色（Ｃ＊＝０、Ｌ＊＝０）では、補正量を０とする。
【００４１】
またグレー軸以外の箇所では、図５（ｂ）に示すように、グレー軸に近づくに従い補正量が大きくなり、グレー軸から遠ざかるに従い補正量が小さくなる。即ち、輝度値であるＬ＊が同じであれば、Ｃ＊が小さいほど補正量が大きくなり、Ｃ＊が大きいほど補正量が小さくなる。これは、彩度が小さいほど補正量が大きくなり、彩度が大きいほど補正量が小さくなると言うこともできる。また色域の外殻では、補正量は０となる。
そしてＣ＊が同じであれば、Ｌ＊＝５０より大きくなるほど、また＊＝５０より小さくなるほど補正量が小さくなり、Ｌ＊＝５０で最大となる。
なお図５（ｂ）に示すように、補正の方向は、全て同じとなる。即ち、ここでは補正の方向は、ａ＊ｂ＊面上となり、輝度Ｌ＊の補正は行なわない。つまり色味の補正のみを行ない、ａ＊、ｂ＊をスライド補正するものとなる。
【００４２】
また図６は、補正の最大値が適用される箇所を、（Ｌ＊、ａ＊、ｂ＊）＝（５０、０、０）以外のグレー軸上とした例を示した図である。ここでは、この箇所を、（Ｌ＊、ａ＊、ｂ＊）＝（７０、０、０）としている。
ここでは、画像形成装置３０の色域の外殻の彩度がより大きくなるほど、彩度を有する箇所の輝度を有するグレーについての補正量をより大きくする。つまり画像形成装置３０の色域の外殻の彩度がこの場合、Ｌ＊＝７０で最も大きくなり、その箇所に合わせて、補正の最大値（Ｍａｘ）が適用される箇所を（Ｌ＊、ａ＊、ｂ＊）＝（７０、０、０）としている。なおこの箇所以外の箇所の補正量の大小関係や補正の方向は、図５（ｂ）と同様となる。
【００４３】
このような補正を行なう変換関係は、プロファイルとも呼ばれ、例えば、３次元ＬＵＴ（Look up Table）として作成することができる。つまり補正前のＬ＊、ａ＊、ｂ＊データを、（Ｌ＊ａ、ａ＊ａ、ｂ＊ａ）とし、補正後のＬ＊、ａ＊、ｂ＊データを、（Ｌ＊ｂ、ａ＊ｂ、ｂ＊ｂ）とすると、（Ｌ＊ａ、ａ＊ａ、ｂ＊ａ）→（Ｌ＊ｂ、ａ＊ｂ、ｂ＊ｂ）とするＬＵＴである。ただしこれに限られるものではない。例えば、変換関係は、Ｌ＊ａ→Ｌ＊ｂ、ａ＊ａ→ａ＊ｂ、ｂ＊ａ→ｂ＊ｂとする１次元ＬＵＴであってもよい。この１次元ＬＵＴは、白色および黒色については、補正を行なわず、中間色については補正を行なうものとなる。またＬ＊ａ→Ｌ＊ｂ、ａ＊ａ→ａ＊ｂ、ｂ＊ａ→ｂ＊ｂの補正をガンマ変換で行なってもよい。
【００４４】
図４に戻り、色補正部１５０は、変換関係作成部１４０が作成した変換関係を使用して、画像形成装置３０に出力する画像データの補正を行なう。そして補正後の画像データを画像形成装置３０に送信する。
【００４５】
＜コンピュータ装置１０の動作の説明＞
図７は、本実施の形態のコンピュータ装置１０の動作について説明したフローチャートである。
以下、図４および図７を使用してコンピュータ装置１０の動作について説明する。
まず測色用画像選択部１１０が測色用画像を選択する（ステップ１０１）。ここでは、測色用画像として、白色画像を選択する。
【００４６】
次に画像データ送信部１２０が、測色用画像選択部１１０が選択した測色用画像の画像データである測色用画像データを表示装置２０および画像形成装置３０に向けて出力する（ステップ１０２）。これにより表示装置２０では、表示画面２１に測色用画像が第１の画像として表示される。また画像形成装置３０では、記録媒体Ｐに測色用画像が第２の画像として形成される。そしてこれらの画像は、測色器５０により色が読み取られ、それぞれ第１の色データ、第２の色データとしてコンピュータ装置１０に送られる。
【００４７】
そして色データ取得部１３０が、測色器５０により送信された第１の色データおよび第２の色データを取得する（ステップ１０３）。
【００４８】
次に変換関係作成部１４０が、第１の色データと第２の色データとの差分を算出する（ステップ１０４）。
さらに変換関係作成部１４０は、図５〜図６で説明したように、画像形成装置３０に出力する画像データの補正を行なう変換関係を作成する（ステップ１０５）。
【００４９】
以後は、この変換関係を使用して、色補正部１５０が、画像形成装置３０に出力する画像データの補正を行ない、補正後の画像データを画像形成装置３０に送ることになる。
【００５０】
これにより記録媒体Ｐに画像を形成するにあたり、それを見る場所の照明環境に合わせて色味の調整を行なうことができる。
【００５１】
ただし画像形成装置３０に出力する画像データの補正にあたり、従来の補正方法と異なり、グレー軸上の画像データについても補正を行なっている。これによりユーザが、部分的に色順応が生じている状態であっても、色味の調整を精度よく行なうことができ、ユーザは、表示装置２０の表示画面２１に表示される画像と、画像形成装置３０により記録媒体Ｐに形成される画像との色味が合っていると感じやすい。
【００５２】
なお以上説明した色処理方法は、画像データを基に表示装置２０に表示された第１の画像の色データである第１の色データを取得するとともに、画像データを基に画像形成装置３０により記録媒体Ｐに形成された第２の画像の色データとして第２の色データを取得する色データ取得工程と、表示装置２０に表示される画像と画像形成装置３０により記録媒体Ｐに形成される画像との色味を合わせるために、第１の色データおよび第２の色データを基に、画像形成装置３０に出力する画像データの補正を行なう変換関係を作成する変換関係作成工程と、を備え、変換関係作成工程は、グレーに近づくに従い補正量が大きくなるとともに白色に近づくに従い補正量が小さくなる補正を行なう変換関係を作成する色処理方法として捉えることもできる。
【００５３】
また以上説明した例では、黒色の補正量を０とし、色域外殻の補正量も０としていたが、これらは必ずしも必要ではない。ただしこのようにすると画像形成装置３０で記録媒体Ｐに形成される画像がより自然になる。
【００５４】
また上述した例では、実際の表示装置２０の表示画面２１に第１の画像を表示するとともに、画像形成装置３０により記録媒体Ｐに第２の画像を形成し、これらの画像を測色器５０で測定することで第１の色データおよび第２の色データを取得していたが、これに限られるものではない。例えば、第１の色データおよび第２の色データとして、カタログ等に記載され、既に用意されたものを取得してもよい。
【００５５】
さらに上述した例では、測色用画像選択部１１０は、測色用画像として白色の画像を選択したが、これに限られるものではなく、他の色を有する測色用画像を選択してもよい。
【００５６】
＜プログラムの説明＞
ここで以上説明を行った本実施の形態におけるコンピュータ装置１０が行なう処理は、例えば、アプリケーションソフトウェア等のプログラムとして用意される。
【００５７】
よって本実施の形態でコンピュータ装置１０が行なう処理は、コンピュータに、画像データを基に表示装置２０に表示された第１の画像の色データである第１の色データを取得するとともに、画像データを基に画像形成装置３０により記録媒体Ｐに形成された第２の画像の色データとして第２の色データを取得する色データ取得機能と、表示装置２０に表示される画像と画像形成装置３０により記録媒体Ｐに形成される画像との色味を合わせるために、第１の色データおよび第２の色データを基に、画像形成装置３０に出力する画像データの補正を行なう変換関係を作成する変換関係作成機能と、を実現させ、変換関係作成機能は、グレーに近づくに従い補正量が大きくなるとともに白色に近づくに従い補正量が小さくなる補正を行なう変換関係を作成するプログラムとして捉えることができる。
【００５８】
なお、本実施の形態を実現するプログラムは、通信手段により提供することはもちろん、ＣＤ−ＲＯＭ等の記録媒体に格納して提供することも可能である。
【００５９】
以上、本実施の形態について説明したが、本発明の技術的範囲は上記実施の形態に記載の範囲には限定されない。上記実施の形態に、種々の変更または改良を加えたものも、本発明の技術的範囲に含まれることは、特許請求の範囲の記載から明らかである。
【符号の説明】
【００６０】
１…色処理システム、１０…コンピュータ装置、２０…表示装置、２１…表示画面、３０…画像形成装置、５０…測色器、１１０…測色用画像選択部、１２０…画像データ送信部、１３０…色データ取得部、１４０…変換関係作成部、１５０…色補正部、Ｐ…記録媒体
【図１】
2018074304.tif 000003
【図２】
2018074304.tif 000004
【図３】
2018074304.tif 000005
【図４】
2018074304.tif 000006
【図５】
2018074304.tif 000007
【図６】
2018074304.tif 000008
【図７】
2018074304.tif 000009